(57)【要約】【課題】ファンカバーにより吊り上げ具用の取付部が覆われる場合に、吊り上げ具の取り付け作業で良好な作業性を得られる技術を提供する。【解決手段】ケーシング１２と、ケーシング１２から突出する回転軸と、回転軸と一体的に回転する冷却ファンと、冷却ファンを覆うファンカバー１８と、を備える回転機械であって、ケーシング１２は、ケーシング１２の吊り上げに用いる吊り上げ具２６を取り付けるための取付部２８−Ａを有し、ファンカバー１８は、開口部４４−Ａが設けられたファンカバー本体４６と、開口部４４−Ａを開閉可能な蓋部材４８−Ａと、を有し、蓋部材４８−Ａが閉状態にあるとき、ファンカバー１８により取付部２８−Ａが覆われ、蓋部材４８−Ａが開状態にあるとき、吊り上げ具２６を取り付け可能に取付部２８−Ａが露出する回転機械。【選択図】図５
2018151035.tif 000002
【特許請求の範囲】
【請求項１】
ケーシングと、
前記ケーシングから突出する回転軸と、
前記回転軸と一体的に回転する冷却ファンと、
前記冷却ファンを覆うファンカバーと、を備える回転機械であって、
前記ケーシングは、前記ケーシングの吊り上げに用いる吊り上げ具を取り付けるための取付部を有し、
前記ファンカバーは、
開口部が設けられたファンカバー本体と、
前記開口部を開閉可能な蓋部材と、を有し、
前記蓋部材が閉状態にあるとき、前記ファンカバーにより前記取付部が覆われ、
前記蓋部材が開状態にあるとき、前記吊り上げ具を取り付け可能に前記取付部が露出する回転機械。
【請求項２】
前記蓋部材は、閉状態及び開状態のいずれにあるときも、前記ファンカバー本体に保持される請求項１に記載の回転機械。
【請求項３】
前記蓋部材は、ヒンジ機構を介して前記ファンカバー本体に保持される請求項２に記載の回転機械。
【請求項４】
前記ファンカバー本体及び前記蓋部材のうちの一方を第１部材としたとき、
前記蓋部材を閉状態にロックするロック部材を備え、
前記ロック部材は、前記蓋部材が閉状態及び開状態のいずれにあるときも、前記第１部材に保持される請求項１から３のいずれかに記載の回転機械。
【請求項５】
前記ファンカバー本体及び前記蓋部材のうちの他方を第２部材としたとき、
前記第２部材は、一端部が開放したスリットを有し、
前記ロック部材は、前記スリットに軸部が挿通され、前記第２部材と前記第１部材を締結可能なロックボルトを有し、
前記ロックボルトの軸部は、前記ロックボルトを緩めた状態で前記蓋部材を開閉させるとき、前記スリットに対して前記一端部を通して出入可能である請求項４に記載の回転機械。
【請求項６】
前記ケーシングは、第１角部と第２角部を有し、
前記取付部には、前記第１角部に対応する第１取付部と、前記第２角部に対応する第２取付部とが含まれ、
前記蓋部材には、前記第１取付部に対応する第１蓋部材と、前記第２取付部に対応する第２蓋部材とが含まれる請求項１から５のいずれかに記載の回転機械。
【発明の詳細な説明】
【技術分野】
【０００１】
本発明は、減速機やモータ等の回転機械に関する。
【背景技術】
【０００２】
従来より、減速機やモータ等の回転機械のケーシングを冷却するため、回転機械の回転軸に冷却ファンを取り付ける場合がある。冷却ファンを用いる場合、冷却ファンを覆うファンカバーをケーシングに取り付けることがある（たとえば、特許文献１参照）。
【先行技術文献】
【特許文献】
【０００３】
【特許文献１】特開２０１１−２１７５５号公報
【発明の概要】
【発明が解決しようとする課題】
【０００４】
回転機械を据え付けるにあたり、ワイヤー等を用いて回転機械を吊り上げる場合がある。回転機械のケーシングには、通常、その吊り上げに用いるアイボルト等の吊り上げ具を取り付けるための取付部が設けられる。
【０００５】
このケーシングの取付部は、ファンの大型化やケーシングの小型化に伴い、ファンカバーにより覆われる場合が生じ得る。この場合、ケーシングの取付部に吊り上げ具を取り付けるにあたり、ファンカバーを取り外す必要があり、作業性の低下を招いてしまう。
【０００６】
本発明のある態様は、こうした状況に鑑みてなされ、その目的の１つは、ファンカバーにより吊り上げ具用の取付部が覆われる場合に、吊り上げ具の取り付け作業で良好な作業性を得られる技術を提供することにある。
【課題を解決するための手段】
【０００７】
本発明のある態様は回転機械に関し、ケーシングと、前記ケーシングから突出する回転軸と、前記回転軸と一体的に回転する冷却ファンと、前記冷却ファンを覆うファンカバーと、を備える回転機械であって、前記ケーシングは、前記ケーシングの吊り上げに用いる吊り上げ具を取り付けるための取付部を有し、前記ファンカバーは、開口部が設けられたファンカバー本体と、前記開口部を開閉可能な蓋部材と、を有し、前記蓋部材が閉状態にあるとき、前記ファンカバーにより前記取付部が覆われ、前記蓋部材が開状態にあるとき、前記吊り上げ具を取り付け可能に前記取付部が露出する回転機械。
【発明の効果】
【０００８】
本発明によれば、ファンカバーにより吊り上げ具用の取付部が覆われる場合に、吊り上げ具の取り付け作業で良好な作業性を得られる。
【図面の簡単な説明】
【０００９】
【図１】第１実施形態の回転機械を示す上面図である。
【図２】図１の矢視Ｐａから回転機械の一部を見た部分断面図である。
【図３】図１の矢視Ｐａからケーシングを見た側面図である。
【図４】第１実施形態の蓋部材を開状態にした回転機械を示す上面図である。
【図５】第１実施形態のファンカバー本体と蓋部材の拡大図である。
【図６】第２実施形態の回転機械の一部を図５と同じ視点から見た図である。
【発明を実施するための形態】
【００１０】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。また、共通点のある別々の構成要素には、名称の冒頭に「第１、第２」等と付し、符号の末尾に「−Ａ、−Ｂ」等と付すことで区別し、総称するときはこれらを省略する。
【００１１】
（第１の実施の形態）
図１は、第１実施形態の回転機械１０を示す上面図である。図２は、図１の矢視Ｐａから回転機械１０の一部を見た部分断面図である。回転機械１０は、主に、ケーシング１２と、回転軸１４と、冷却ファン１６と、ファンカバー１８と、を備える。第１実施形態の回転機械１０は減速機である。図１では、冷却ファン１６に関して、その回転時に外周端が通る箇所のみを一点鎖線で示す。以下、各構成要素の位置関係に関して、回転軸１４の軸方向Ｘを用いて説明する。本例では、便宜的に、軸方向Ｘを上下方向、軸方向Ｘと直交する二方向のうちの一方の方向を前後方向Ｙ（第１軸直交方向）、他方の方向を左右方向Ｚ（第２軸直交方向）として説明する。
【００１２】
ケーシング１２は、中空構造をなしており、その内側に減速機構（不図示）が収納される。減速機構は、入力軸の回転を減速して出力軸（不図示）に伝達するためのものである。本実施形態では回転軸１４が入力軸として機能する。本実施形態の減速機構は平行軸歯車減速機構である。
【００１３】
本実施形態のケーシング１２は、六方に臨む側面部を有する直方体状、つまり、箱状をなす。ケーシング１２は、回転軸１４が突出する上側面部２０（第１側面部）と、上側面部２０が臨む側とは軸方向Ｘの反対側に臨む下側面部２２（第２側面部）と、を有する。本実施形態の上側面部２０と下側面部２２は、回転軸１４の軸方向Ｘから見て、前後方向Ｙを長手方向とする矩形状をなす。
【００１４】
上側面部２０は、回転軸１４の軸方向から見て、上側面部２０がなす矩形の四隅に設けられる角部２４を有する。角部２４には、前後方向Ｙの一方側（図１中右側。以下、便宜的に前側という）の二つの角部２４のうち、左右方向Ｚの一方側（図１中上側。以下、便宜的に左側という）にある第１角部２４−Ａと、左右方向Ｚの他方側（図１中下側。以下、便宜的に右側という）にある第２角部２４−Ｂとが含まれる。
【００１５】
図３は、図１の矢視Ｐａからケーシング１２を見た側面図である。本図では、ケーシング１２に後述する吊り上げ具２６を取り付けた状態を示す。図１、図３に示すように、上側面部２０は、ケーシング１２の吊り上げに用いる吊り上げ具２６を取り付けるための取付部２８を有する。本実施形態の吊り上げ具２６は、雄ねじが形成された軸部２６ａと、リング状のワイヤー挿通部２６ｂとを有するアイボルトである。本実施形態の取付部２８は、上側面部２０の四隅の角部２４に対応して個別に設けられる。取付部２８には、第１角部２４−Ａに対応する第１取付部２８−Ａと、第２角部２４−Ｂに対応する第２取付部２８−Ｂとが含まれる。第１取付部２８−Ａは、第１角部２４−Ａの近傍であって、第１角部２４−Ａより前後方向Ｙの他方側（図１中左側。以下、便宜的に後側という）寄りの位置に設けられる。第２取付部２８−Ｂは、第２角部２４−Ｂの近傍であって、第２角部２４−Ｂより後側寄りの位置に設けられる。
【００１６】
本実施形態の取付部２８は軸方向Ｘを板厚方向とする板状をなしており、取付部２８には軸方向Ｘに貫通する第１挿通孔２８ａが形成される。取付部２８の第１挿通孔２８ａには、上側面部２０の軸方向Ｘの外側（図３の上側）から反対側（図３の下側）に向かって吊り上げ具２６の軸部２６ａが挿通される。吊り上げ具２６は、その軸部２６ａの先端側部分へのナット３０の締め付けにより、ケーシング１２の取付部２８に取り付けられる。
【００１７】
下側面部２２は、外部部材３２に据え付けるための据付部３４を有する。ここでの外部部材３２は、ケーシング１２の外部に配置され、ケーシング１２を支持する役割を持つ。外部部材３２は、たとえば、ケーシング１２の周囲の構造物の床面、壁面等である。
【００１８】
本実施形態の据付部３４は、図示はしないが、下側面部２２の四隅の角部に対応して個別に設けられる。本実施形態の据付部３４は軸方向Ｘを板厚方向とする板状をなしており、軸方向Ｘに貫通する第２挿通孔３４ａが形成される。据付部３４の第２挿通孔３４ａには、下側面部２２の軸方向Ｘの外側とは反対側（図３の上側）から外側（図３の下側）に向かって据付ボルト３６の軸部が挿通される。ケーシング１２の据付部３４は、外部部材３２に据付部３４の当接させた状態で、外部部材３２に設けられた雌ねじ孔に据付ボルト３６の軸部を締め付けることにより、外部部材３２に据え付けられる。
【００１９】
図２を参照する。本実施形態の回転軸１４は、モータの回転が入力される入力軸である。回転軸１４は、ケーシング１２の上側面部２０を貫通して上側面部２０から突出する。回転軸１４は、ケーシング１２に不図示の軸受を介して回転自在に支持される。回転軸１４は、ケーシング１２の上側面部２０から外部に突出する突出部１４ａを有する。
【００２０】
冷却ファン１６は、キー、ボルト等を用いて、回転軸１４の突出部１４ａに装着される。冷却ファン１６は、回転軸１４と一体的に回転可能に設けられ、その回転により空気流を発生させる。本実施形態の冷却ファン１６はラジアルファンであり、回転軸１４のいずれの方向に回転しても、回転軸１４の径方向外側に向かう空気流を発生させるように構成される。
【００２１】
図１、図２に示すように、ファンカバー１８は、主として、冷却ファン１６を覆う。ファンカバー１８は、冷却ファン１６を覆うカバー部１８ａと、冷却ファン１６が発生させた空気流を誘導するための風路３８を形成する風路形成部１８ｂとを有する。
【００２２】
カバー部１８ａは、有底筒状をなしており、冷却ファン１６を径方向外側から覆う筒状の外周壁部１８ｃと、冷却ファン１６を回転軸１４の突出端側から覆う底壁部１８ｄとを有する。底壁部１８ｄには、回転軸１４が貫通する貫通孔１８ｅが形成される。なお、底壁部１８ｄには、図示しない複数の吸気孔が貫通孔１８ｅ周りに形成される。
【００２３】
風路形成部１８ｂの一部は、カバー部１８ａの外周壁部１８ｃの一部から回転軸１４の突出方向とは軸方向Ｘの逆側（図２の下側）に向けて延びている。風路形成部１８ｂは、ケーシング１２の上側面部２０と隣り合う他の側面部４０（第３側面部）を覆っている。この他の側面部４０は、本実施形態において、ケーシング１２の前側に臨む前側面部４０である。風路形成部１８ｂは、ケーシング１２の前側面部４０との間に風路３８を形成している。この風路３８は、ファンカバー１８のカバー部１８ａ内で発生した空気流を、ケーシング１２の前側面部４０の外面に誘導してから、下側面部２２の外面に誘導するように形成される（矢印Ｐｂ参照）。
【００２４】
ファンカバー１８は、ケーシング１２の上側面部２０に固定される第１固定部１８ｆと、ケーシング１２の前側面部４０に固定される第２固定部１８ｇとを有する。第１固定部１８ｆは、ファンカバー１８のカバー部１８ａに設けられ、第２固定部１８ｇは、ファンカバー１８の風路形成部１８ｂに設けられる。第１固定部１８ｆは、カバー部１８ａの外周壁部１８ｃから径方向外側に張り出す板状をなし、ボルトにより着脱可能にケーシング１２の上側面部２０に固定される。第２固定部１８ｇは、風路形成部１８ｂのケーシング１２の前側面部４０と対向する。第２固定部１８ｇは、ケーシング１２の前側面部４０に固定されるスペーサ４２に第２固定部１８ｇを貫通するボルトを締結することで、スペーサ４２を介して前側面部４０に固定される。
【００２５】
ここで、ファンカバー１８は、開口部４４が設けられたファンカバー本体４６と、ファンカバー本体４６の開口部４４を開閉可能な蓋部材４８とを有する。図４は、蓋部材４８を開状態にした回転機械１０を示す上面図である。本図では、ケーシング１２の取付部２８に吊り上げ具２６を取り付けた状態を示す。図１、図４に示すように、ファンカバー本体４６は、前述した第１固定部１８ｆや第２固定部１８ｇを有しており、ケーシング１２に固定されている。蓋部材４８は、ファンカバー１８のカバー部１８ａの一部分を構成し、ファンカバー本体４６は、カバー部１８ａの他の部分を構成する。ここでのカバー部１８ａの一部分には、カバー部１８ａの外周壁部１８ｃの一部分１８ｈや底壁部１８ｄの一部分１８ｉが含まれる。なお、ファンカバー１８の風路形成部１８ｂは、ファンカバー本体４６が構成する。
【００２６】
本実施形態のファンカバー本体４６の開口部４４には、ケーシング１２の第１取付部２８−Ａに対応する第１開口部４４−Ａと、第２取付部２８−Ｂに対応する第２開口部４４−Ｂとが含まれる。本実施形態の蓋部材４８には、第１開口部４４−Ａを開閉可能な第１蓋部材４８−Ａと、第２開口部４４−Ｂを開閉可能な第２蓋部材４８−Ｂとが含まれる。第１蓋部材４８−Ａはケーシング１２の第１取付部２８−Ａに対応し、第２蓋部材４８−Ｂはケーシング１２の第２取付部２８−Ｂに対応することになる。
【００２７】
第１開口部４４−Ａは、カバー部１８ａの左側（図１中上側）の側部に形成され、第２開口部４４−Ｂは、カバー部１８ａの右側（図１中下側）の側部に形成される。第１開口部４４−Ａと第２開口部４４−Ｂは、回転軸１４の軸方向Ｘから見て、回転軸１４を挟んだ左右方向Ｚの両側の側部にてファンカバー本体４６に形成されることになる。第１開口部４４−Ａは、第１蓋部材４８−Ａが第１開口部４４−Ａを開く開状態にあるとき、左側に向かって開放している。第２開口部４４−Ｂは、第２蓋部材４８−Ｂが開状態にあるとき、右側に向かって開放している。第１開口部４４−Ａと第２開口部４４−Ｂは、回転軸１４の軸方向Ｘから見て、回転軸１４を挟んだ左右方向Ｚの両外側に向かって開放することになる。
【００２８】
ケーシング１２の取付部２８は、その取付部２８と対応する蓋部材４８が開口部４４を閉じる閉状態にあるとき、ファンカバー１８により覆われる。本実施形態では、ケーシング１２の取付部２８は、その取付部２８と対応する蓋部材４８により覆われる。また、ケーシング１２の取付部２８は、その取付部２８と対応する蓋部材４８が開状態にあるとき、外部空間から吊り上げ具２６を取り付け可能に露出する。ここでの外部空間とは、蓋部材４８が閉状態にあるときに、その蓋部材４８の外部にある空間をいう。ファンカバー本体４６は、蓋部材４８が開状態にあるとき、回転軸１４の軸方向Ｘから見て、その蓋部材４８と対応する取付部２８を露出させる形状であるとも捉えられる。
【００２９】
図５は、ファンカバー本体４６と蓋部材４８の拡大図である。図５（ａ）は、蓋部材４８が閉状態にあり、図５（ｂ）は、蓋部材４８が開状態にある。蓋部材４８は、ファンカバー本体４６に連結機構５０を介して開閉可能に連結される。これにより、蓋部材４８は、閉状態及び開状態のいずれにあるときも、ファンカバー本体４６に連結機構５０を介して保持される。本実施形態の連結機構５０はヒンジ機構、詳しくは蝶番である。
【００３０】
連結機構５０は、ファンカバー本体４６に固定される本体側ベース部材５０ａと、蓋部材４８に固定される蓋側ベース部材５０ｂと、本体側ベース部材５０ａ及び蓋側ベース部材５０ｂのそれぞれに回転自在に支持されるヒンジ軸５０ｃとを有する。本体側ベース部材５０ａは、ボルト等を用いて、ファンカバー１８の外周壁部１８ｃを形成するファンカバー本体４６の外周面に固定される。蓋側ベース部材５０ｂは、ボルト等を用いて、ファンカバー１８の外周壁部１８ｃを形成する蓋部材４８の外周面に固定される。蓋側ベース部材５０ｂは、蓋部材４８の前側の端部に固定される。連結機構５０は、蓋部材４８の前側の端部とファンカバー本体４６を連結することになる。蓋部材４８は、ファンカバー本体４６にヒンジ軸５０ｃを介して回動可能に連結され、その回動動作によって開状態と閉状態が切り替えられる。
【００３１】
図２，図５に示すように、回転機械１０は、更に、蓋部材４８を閉状態にロックするロック部材５２を備える。本実施形態のロック部材５２はロックボルト５４を有する。ロックボルト５４の軸部５４ａは、ファンカバー本体４６と蓋部材４８のそれぞれを貫通している。ファンカバー本体４６には、ロックボルト５４の軸部５４ａがねじ込まれる雌ねじ部５６が設けられる。本実施形態の雌ねじ部５６は、ファンカバー本体４６に溶接等により固定されるナットに設けられるが、ファンカバー本体４６にタップ加工等により形成してもよい。
【００３２】
ロックボルト５４は、ファンカバー本体４６の雌ねじ部５６に軸部をねじ込んだ状態で締め付けることにより、ファンカバー本体４６と蓋部材４８を締結する。これにより、蓋部材４８とファンカバー本体４６がロック部材５２により接続され、蓋部材４８の開閉動作が規制され、蓋部材４８が閉状態にロックされる。なお、ロックボルト５４の頭部と蓋部材４８の間には座金を介装してもよい。
【００３３】
ファンカバー本体４６と蓋部材４８のそれぞれは、ロック部材５２により接続される本体側オーバーラップ部４６ａと蓋側オーバーラップ部４８ａを有する。本実施形態では本体側オーバーラップ部４６ａの外側に蓋側オーバーラップ部４８ａが配置される。本体側オーバーラップ部４６ａと蓋側オーバーラップ部４８ａは平板状をなしており、互いに軸方向Ｘに重ね合わせられる。蓋側オーバーラップ部４８ａは、本実施形態において、蓋部材４８の後側の端部に設けられる。ここでの蓋部材４８の後側の端部は、前述した連結機構５０による蓋部材４８の連結箇所となる前側の端部とは前後方向Ｙの反対側の端部となる。
【００３４】
蓋部材４８を閉状態から開状態に切り替える場合、本実施形態では、ロックボルト５４の締め付けを緩め、ファンカバー本体４６の雌ねじ部５６からロックボルト５４を抜き出す。これにより、ロックボルト５４による蓋部材４８のロックが解除され、蓋部材４８の開閉動作が許容される。
【００３５】
以上の回転機械１０を用いたケーシング１２の吊り上げ作業を説明する。ここでは、ケーシング１２の上側面部２０を上向きにした状態で吊り上げる場合を例にする。まず、ロック部材５２による蓋部材４８のロックを解除し、蓋部材４８を開閉可能な状態にする。この後、閉状態にある蓋部材４８を開くことで開状態にする。これにより、蓋部材４８に対応する取付部２８が吊り上げ具２６を取り付け可能に露出するので、その露出した取付部２８に吊り上げ具２６を取り付ける。本実施形態では、ケーシング１２の上側面部２０の四隅の角部２４に対応する取付部２８のそれぞれに吊り上げ具２６を取り付ける（図３、図４参照）。この後、吊り上げ具２６のワイヤー挿通部２６ｂにワイヤーを挿通し、そのワイヤーを介してケーシング１２を吊り上げ、ケーシング１２を所定の運搬先に運搬する。ケーシング１２を運搬先まで運搬したら、ケーシング１２の据付部３４を外部部材３２に据え付ける。この後、吊り上げ具２６からワイヤーを取り外し、ケーシング１２の取付部２８から吊り上げ具２６を取り外し、開状態にある蓋部材４８を閉じることで閉状態にする。蓋部材４８を閉状態にしたら、ロック部材５２を用いて蓋部材４８を閉状態にロックする。
【００３６】
以上の回転機械１０の効果を説明する。
蓋部材４８が閉状態にあるとき、ファンカバー１８により吊り上げ具２６用の取付部２８が覆われ、蓋部材４８が開状態にあるとき、吊り上げ具２６を取り付け可能に取付部２８が露出する。よって、ファンカバー１８全体をケーシング１２から取り外さなくとも、蓋部材４８を開く作業をするのみで、ケーシング１２の取付部２８に吊り上げ具２６を取り付けられるようになる。このため、ファンカバー１８により吊り上げ具２６用の取付部２８が覆われている場合でも、吊り上げ具２６の取り付け作業で良好な作業性を得られる。
【００３７】
蓋部材４８が閉状態にあるとき、ファンカバー本体４６の開口部４４が蓋部材４８により閉じられる。よって、冷却ファン１６の回転により発生させた空気流のファンカバー１８の開口部４４からの漏れを防止でき、冷却ファン１６による冷却効率の低下を防止できる。
【００３８】
蓋部材４８は、開状態及び閉状態のいずれにあるときも、ファンカバー本体４６に保持される。よって、蓋部材４８を開状態にしたとき、ファンカバー本体４６から蓋部材４８が分離することに伴う蓋部材４８の紛失を防止できる。
【００３９】
蓋部材４８は、ヒンジ機構を介してファンカバー本体４６に保持される。よって、蓋部材４８の紛失の防止を簡易に実現できる。また、蓋部材４８は、閉状態にあるとき、ロックボルト５４の他にヒンジ機構によりファンカバー本体４６に固定される。よって、ロックボルト５４を強固に締め付けなくとも十分な固定度で両者を固定し易くなる。これに伴い、そのロックボルト５４の締め付け箇所に要求される強度を低減でき、ファンカバー１８の薄肉化を通じて軽量化を図れる。
【００４０】
蓋部材４８には、ケーシング１２の第１取付部２８−Ａに対応する第１蓋部材４８−Ａと、ケーシング１２の第２取付部２８−Ｂに対応する第２蓋部材４８−Ｂとが含まれる。よって、複数の取付部２８をファンカバー１８により覆う場合でも、ファンカバー１８全体をケーシング１２から取り外さずに、第１蓋部材４８−Ａ及び第２蓋部材４８−Ｂを開く作業をするのみで、複数の取付部２８に吊り上げ具２６を取り付けられるようになる。
【００４１】
（第２の実施の形態）
図６は、第２実施形態の回転機械１０の一部を図５と同じ視点から見た図である。図６（ａ）は、蓋部材４８が閉状態にあり、図６（ｂ）は、蓋部材４８が開状態にある。本実施形態の回転機械１０は、第１実施形態と比べて、ロック部材５２の周辺構造がなる。ロック部材５２のロックボルト５４は、第１実施形態において、蓋部材４８を開状態にするとき、ファンカバー本体４６の雌ねじ部５６（図示せず）から抜き出す例を説明した。本実施形態のロックボルト５４は、蓋部材４８が開状態及び閉状態のいずれにあるときも、ファンカバー本体４６に保持される。これを実現するため、本実施形態の回転機械１０は次の構成を採用している。
【００４２】
本実施形態の蓋部材４８は、ロックボルト５４の軸部５４ａが挿通される挿通孔としてスリット５８を有している。スリット５８は、直線状に延びており、その長手方向の一端部５８ａが開放している。ファンカバー本体４６の雌ねじ部５６（ナット）に対するロックボルト５４の締め付けを緩め、ロックボルト５４を雌ねじ部５６から抜き出さずに、その雌ねじ部５６に保持させた状態を考える。本実施形態では、ファンカバー本体４６のナットに対するロックボルト５４の締め付けを緩めることで、ロックボルト５４の頭部とナットの間の間隔が広げられる。この状態で蓋部材４８を開閉させるとき、ロックボルト５４の軸部５４ａは、スリット５８に対してスリット５８の一端部５８ａを通して出入可能である。
【００４３】
たとえば、開口部４４を開く開方向Ｐｃに蓋部材４８を移動させたとき、ロックボルト５４の軸部５４ａは、スリット５８の一端部５８ａを通してスリット５８から抜き出される。また、開口部４４を閉じる閉方向Ｐｄに蓋部材４８を移動させたとき、ロックボルト５４の軸部５４ａは、スリット５８の一端部５８ａを通してスリット５８に入り込む。本例での開方向Ｐｃは、ヒンジ軸５０ｃ周りの回動方向のうちの一方の方向であり、閉方向Ｐｄは、ヒンジ軸５０ｃ周りの回動方向のうち、その開方向Ｐｃとは反対側の方向である。
【００４４】
これにより、ロックボルト５４を含むロック部材５２の全体をファンカバー本体４６から分離させることなく、蓋部材４８を開閉可能になる。よって、蓋部材４８を開閉するうえで、ファンカバー本体４６からロック部材５２を分離することに伴うロック部材５２の紛失を防止できる。また、ロックボルト５４の軸部５４ａが挿通される挿通孔をスリット５８にするといった簡易な構成により、ロック部材５２の紛失を防止できる利点もある。
【００４５】
なお、この他にも、ロック部材５２は、蓋部材４８が開状態にあるとき、ファンカバー本体４６ではなく蓋部材４８に保持されていてもよい。これにより、上述と同様、ロック部材５２を蓋部材４８から分離させることなく、蓋部材４８を開閉可能になる。
【００４６】
これを実現するうえで、たとえば、次の構成を採用してもよい。この構成では、ロックボルト５４の軸部５４ａが挿通されるファンカバー本体４６の挿通孔を、一端部５８ａが開放したスリット５８にする。また、ロックボルト５４は、ロックボルト５４の締め付けを緩めたとき、その軸部５４ａが挿通される蓋部材４８の挿通孔から軸部５４ａを抜き出さず、蓋部材４８に保持させた状態にする。また、この状態で蓋部材４８を開閉させるとき、ロックボルト５４の軸部５４ａは、ファンカバー本体４６のスリット５８に対して、そのスリット５８の一端部５８ａを通して出入可能にする。これにより、上述と同様、簡易な構成により、ロック部材５２の紛失を防止できる。
【００４７】
以上を言い換えると、ファンカバー本体４６及び蓋部材４８のうちの一方を第１部材とし、他方を第２部材としたとき、ロック部材５２は、蓋部材４８が開状態及び閉状態のいずれにあるときも、第１部材に保持される構成としてもよい。さらに、ロックボルト５４の軸部５４ａを第２部材に設けたスリット５８に挿通し、ロックボルト５４を緩めて第１部材にロックボルト５４を保持させた状態で蓋部材４８を開閉させるとき、ロックボルト５４の軸部５４ａは、スリット５８に対して一端部５８ａを通して出入可能にしてもよい。
【００４８】
また、ロック部材５２はロックボルト５４を有する例を説明したが、その具体的な構造は特に限定されない。たとえば、ロック部材５２は、かんぬき等でもよい。
【００４９】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【００５０】
回転機械１０は減速機を例に説明したが、回転軸１４を備えるものであれば、その具体例は特に限定されない。たとえば、モータ等でもよいし、それ以外の回転機械であってもよい。
【００５１】
減速機構は平行軸歯車減速機構を例に説明したが、その種類は特に限定されない。たとえば、偏心揺動型減速機、遊星歯車機構、直交軸歯車機構等の何れかでもよい。
【００５２】
ケーシング１２は、六方に臨む側面部を有する直方体状をなす例を説明したが、その具体的な形状は特に限定されない。たとえば、上側面部２０や下側面部２２は、回転軸１４の軸方向Ｘから見て、矩形状以外の他の形状をなしてもよいし、上側面部２０及び下側面部２２と隣り合う他の側面部を筒状にしてもよい。
【００５３】
冷却ファン１６はラジアルファンを例に説明したが、その種類は特に限定されず、たとえば、アキシャルファン等が用いられてもよい。
【００５４】
吊り上げ具２６は、アイボルトを例に説明したが、これに限定されない。たとえば、他の吊り上げ具が用いられてもよい。
【００５５】
蓋部材４８は、ファンカバー本体４６の開口部４４を開閉可能であれば、その具体的構造は特に限定されない。たとえば、蓋部材４８は、開状態にあるときも、ファンカバー本体４６に保持される例を説明したが、開状態にあるときにファンカバー本体４６から分離してもよい。また、蓋部材４８は、スライド機構を介してスライド可能にファンカバー本体４６に連結され、そのスライド動作により開口部４４を開閉可能にしてもよい。この場合も、ロック部材５２を用いて蓋部材４８を閉状態にロックしてもよい。
【００５６】
また、蓋部材４８は、開状態にあるとき、ファンカバー本体４６に保持されるために、ファンカバー本体４６に連結機構５０を介して連結され、その連結機構５０がヒンジ機構である例を説明した。この連結機構の具体例は特に限定されるものではない。たとえば、前述のスライド機構を用いて、蓋部材４８が開状態にあるときに、ファンカバー本体４６と蓋部材４８がスライド機構を介して保持されるようにしてもよい。
【００５７】
また、蓋部材４８は第１蓋部材４８−Ａと第２蓋部材４８−Ｂを含む例を説明したが、その個数は特に限定されない。たとえば、第１蓋部材４８−Ａまたは第２蓋部材４８−Ｂのいずれか一方のみを含んでもよいし、さらに他の蓋部材を含んでもよい。
【００５８】
また、本体側オーバーラップ部４６ａの外側に蓋側オーバーラップ部４８ａが配置される例を説明したが、本体側オーバーラップ部４６ａの内側に蓋側オーバーラップ部４８ａが配置されてもよい。
【００５９】
第１実施形態では、ケーシング１２の上側面部２０を上向きにした状態でケーシング１２を吊り上げる例を説明した。この他にも、ケーシング１２の上側面部２０に隣り合うとともに左右方向Ｚに臨む他の側面部６０（図３参照）を上向きにした状態でケーシング１２を吊り上げてもよい。この場合、上側面部２０の取付部２８のうち横側面部６０寄りの位置にある二つの取付部２８と、下側面部２２の据付部３４のうち横側面部６０寄りの位置にある二つの据付部３４に吊り上げ具２６を取り付け、その吊り上げ具２６を用いてケーシング１２を吊り上げてもよい。
【符号の説明】
【００６０】
１０…回転機械、１２…ケーシング、１４…回転軸、１６…冷却ファン、１８…ファンカバー、２４…第１角部、２４…第２角部、２４…角部、２６…具、２６ａ…軸部、２８…取付部、２８…第１取付部、２８…第２取付部、４４…開口部、４６…ファンカバー本体、４８…第１蓋部材、４８…第２蓋部材、４８…蓋部材、５２…ロック部材、５４…ロックボルト、５４ａ…軸部、５８…スリット、５８ａ…一端部。
【図１】
2018151035.tif 000003
【図２】
2018151035.tif 000004
【図３】
2018151035.tif 000005
【図４】
2018151035.tif 000006
【図５】
2018151035.tif 000007
【図６】
2018151035.tif 000008